(57)【特許請求の範囲】
【請求項１】
配線類を挿通可能な内部空間を有する少なくとも二つのパネルをそれらのパネル面同士が異なる方向を向くように配置し、これらパネルの内部空間同士に亘って配線類を通過させるものであって、
パネル同士の隣接位置の近傍における各パネル面の一部にそれぞれ内部空間を外部へ開放し配線類を出入りさせることのできる開口部を形成する一方、
前記開口部の開口高さ寸法に対応して上下に離間配置される上壁及び下壁と、上壁及び下壁を連結する中間壁と、これら上壁、下壁及び中間壁によって包囲される配線案内路と、上壁に形成され先端部に上向爪を有し開口部内に挿入される突起と、下壁に形成され先端部に下向爪を有し開口部内に挿入される突起とを具備するパネル配線具を、その上向爪及び下向爪を介して開口部に着脱可能に係合させることとし、
前記パネル間配線具が隣接位置にあるパネルの開口部同士に跨って外部に露出し且つ異なるパネルの開口部及び配線案内路を外部から隠蔽し、その配線案内路が両パネルの内部空間を相互に連通して、一方のパネルの内部空間から配線案内路を経て他方のパネルの内部空間へ渡された配線類が隠されるパネル間配線構造。
【請求項２】
前記上壁、下壁及び中間壁のいずれもが隣接する異なるパネルのパネル面と略密接するものである請求項１記載のパネル間配線構造。
【請求項３】
パネル面の少なくとも一側端部に沿って前記開口部を形成している請求項１又は２記載のパネル間配線構造。
【請求項４】
パネルが前後両面にパネル面を備えたものであり、それら前後のパネル面に前記開口部を形成している請求項１、２又は３記載のパネル間配線構造。
【請求項５】
パネルが、枠構造体及びその前後両面にそれぞれ装着されパネル面を有するパネル要素を主体とし、前後のパネル要素の裏面間に前記内部空間を形成したものであって、該パネル要素に前記開口部を形成している請求項１、２、３又は４記載のパネル間配線構造。
【請求項６】
前後のパネル要素の各両側端部に沿って、前記開口部を形成している請求項５記載のパネル間配線構造。
【請求項７】
前記パネル間配線具を前記開口部に取り付けた際、前記上向爪及び下向爪が、その開口縁に取り付けた保護部材にパネルの内部空間内で着脱可能に係合する請求項１、２、３、４、５又は６記載のパネル間配線構造。
【請求項８】
配線類を挿通可能な内部空間と、この内部空間を外部へ開放する開口部とを形成したパネル面を有する少なくとも二つのパネルをそれらのパネル面同士が異なる方向を向くように配置する際に用いられ、これらパネルの内部空間同士に亘って配線類を通過させるものであって、
上下に前記開口部の開口高さ寸法に対応して離間配置される上壁及び下壁と、これら上壁及び下壁を連結する中間壁と、上壁に形成され先端部に上向爪を有し開口部内に挿入される突起と、下壁に形成され先端部に下向爪を有し開口部内に挿入される突起と、前記上壁、下壁及び中間壁によって包囲される部位に形成される配線案内路とを具備し、
開口部に着脱可能に係合し隣接する異なるパネルの開口部同士に跨って配置され両パネルの内部空間を外部から閉塞し得るとともに、開口部への装着状態で配線案内路を介してパネル同士の内部空間を相互に連通させ得るパネル間配線具。
【発明の詳細な説明】
【０００１】
【発明の属する技術分野】
本発明は、内部に空間を有する複数のパネル間に跨って好適に配線を行うことができるパネル間配線構造及びそれに用いられるパネル間配線具に関するものである。
【０００２】
【従来の技術】
従来より、内部が中空をなす複数のパネルをそれらのパネル面が異なる方向を向くように隣接配置して接続し、それらパネルの内部空間同士に亘って配線類を通過させるようにするパネル間配線構造が各種考えられている。このようなパネル間配線においては、パネル間に跨る配線類が外部に露出すると外観が著しく損なわれる。したがって、その弊害を防止するための構成として、例えば隣接するパネル間に支柱を介在させ、この支柱の適宜箇所を切り欠くことによってその切り欠き部分を通じてパネルの内部空間同士を連通させるようにした構造が考えられる。その他にも、パネル面を有するパネル要素を上下に複数並べるとともに、それらパネル要素間にパネル面と略面一に表出する中空のダクトを配置し、このダクトの一部を切り開けるなどすることで、隣接するパネルのダクト同士に跨って配線類を通過させるようにした構造も考えられる。
【０００３】
【発明が解決しようとする課題】
ところが、前者のパネル間配線構造であると、剛体である支柱を切り欠くための手間やコストが掛かるため不経済である上に、支柱を部分的に切り欠くことによってその支柱の強度低下を招きかねないという問題が生じ得る。一方、後者のパネル間配線構造であると、ダクトを設けることによるパネルの重量増加やコスト増加という問題や、ダクトがパネル面と略面一に表出することによりパネル面の外観の統一感が損なわれるという問題が生じ得る。また、いずれの態様であっても、配線替えを行う際には、パネル要素等のパネル面を有する部材をパネルの骨格をなす構造体から取り外す手間を要するという不具合がある。
【０００４】
そこで本発明は、以上のような問題に鑑みて、より簡便な構成で、隣接するパネル間に跨るパネル間配線を実現することを主目的としている。
【０００５】
【課題を解決するための手段】
すなわち、本発明のパネル間配線構造は、配線類を挿通可能な内部空間を有する少なくとも二つのパネルをそれらのパネル面同士が異なる方向を向くように配置し、これらパネルの内部空間同士に亘って配線類を通過させるものであって、パネル同士の隣接位置の近傍における各パネル面の一部にそれぞれ内部空間を外部へ開放する開口部を形成し、隣接位置にある開口部同士に跨って外部に露出し且つ異なるパネルの内部空間を外部から隠蔽した状態で相互に連通させ得るパネル間配線具を装着してなり、前記パネル間配線具が、上下に前記開口部の開口高さ寸法に対応して離間配置される上壁及び下壁と、これら上壁及び下壁を連結する中間壁と、上壁に形成され先端部に上向爪を有し開口部内に挿入される突起と、下壁に形成され先端部に下向爪を有し開口部内に挿入される突起とを具備し、開口部に着脱可能に係合することを特徴とするものである。
【０００６】
このような構造によれば、パネル同士の隣接する位置においては、パネル面に形成した開口部を通じて配線類が外部に露出することになるが、この配線類の露出する部位をパネル間配線具によって簡単に隠しておくことができるため、パネル間配線具をパネルに装着した状態では配線類が露出して外観を損なうという不具合が生じることがなく、好適なパネル間配線が可能となる。また、パネル間配線具は、各パネルと別体をなすものであるため、配線替えの際にはこのパネル間配線具のみを取り外し、パネル面の開口部から配線類を引き出し又は差し入れることで、極めて簡便に作業を行うことができる。
【０００７】
具体的なパネル間配線具の構成の一例としては、上下に前記開口部の開口高さ寸法に対応して離間配置される上壁及び下壁と、これら上壁及び下壁を連結する中間壁とを具備するものを挙げることができ、この場合、これら上壁、下壁及び中間壁のいずれもが隣接する異なるパネルのパネル面と略密接するようにしておくと、パネル間配線具と開口部との間に隙間ができず、外観のさらなる向上を図ることができる。また、パネル間配線具の着脱作業に際して、上壁及び下壁を手で挟んで持つことができるので、その取り扱いの便も向上される。より具体的に好ましいパネル間配線具の構成としては、上壁、下壁及び中間壁によって包囲される部位に、隣接するパネル面の開口部と連通する配線案内路を形成したものを挙げることができる。
【０００８】
パネル間配線具の大きさを可及的に小さいものとして、外観の維持を図るには、パネル面の少なくとも一側端部に沿って開口部を形成するとよい。
【０００９】
また、複数のパネルをＬ字型、Ｔ字型、十字型をはじめとする様々な態様で派位置した場合に、いずれの態様にも対応して上述の好適なパネル間配線を実現するためには、パネルを前後両面にパネル面を備えたものとして、それら前後のパネル面に前記開口部を形成することが望ましい。
【００１０】
このようなパネル間配線を実現するのに好ましいパネルの構成としては、枠構造体及びその前後両面にそれぞれ装着されパネル面を有するパネル要素を主体とし、前後のパネル要素の裏面間に前記内部空間を形成し、さらにそのパネル要素に開口部を形成したものが挙げられる。この場合、前後のパネル要素の各両側端部に沿って、開口部を形成すると、多様なパネル配置にフレキシブルに対応することができる。
【００１１】
パネルに対するパネル間配線具の取付状態を良好なものとするには、パネルとパネル間配線具との間に、パネル間配線具を開口部に着脱可能に係合させる係合部を形成することが有効な手だてとなる。
【００１２】
また、配線類を挿通可能な内部空間と、この内部空間を外部へ開放する開口部とを形成したパネル面を有する少なくとも二つのパネルをそれらのパネル面同士が異なる方向を向くように配置した場合、これらパネルの内部空間同士に亘って配線類を通過させるに際し、上述したパネル間配線を実現するのに好ましい本発明のパネル間配線具は、隣接する異なるパネルの開口部同士に跨って配置され両パネルの内部空間を外部から閉塞し得る外壁と、開口部への前記外壁の装着状態でパネル同士の内部空間を相互に連通させ得る配線案内路とを具備することを特徴とするものである。
【００１３】
【発明の実施の形態】
以下、本発明の一実施形態を、図面を参照して説明する。
【００１４】
この実施形態は、内部が中空の同種のパネルＰを複数接続し、隣接するパネルＰ間に跨って配線類Ｋを配置し得るように構成したパネル間配線構造Ａ及びそれに用いられるパネル間配線具１である。図１は、２つのパネルＰをそれらのパネル面Ｐａ同士が相互に略９０°の内角をなすように平面視Ｌ字型に配置し、それらパネルＰを床面に起立姿勢で配置される支柱４を介して連結した一態様を示している。
【００１５】
本実施形態で適用されるパネルＰは、例えば間仕切りとして用いられるパーティションパネルである。各パネルＰは、図１及び図２に示すように、ほぼ同一の形状、構成及び大きさを有しているが、この他にも、高さ違いのものを用いることができる。また、パネルＰの上端部、下端部、側端部に沿って、笠木や巾木、側部カバー等が設けられることがあるが、この例ではそれらを省略している。具体的にパネルＰは、正面視ロ字型をなす金属製の枠構造体２と、この枠構造体２の表裏両面に適宜の手段で着脱可能に取り付けられる前後一対のパネル要素３とからなるものである。枠構造体２は、左右に所定距離離間して起立姿勢で配置される縦枠材２１と、これら縦枠材２１の上端部間及び下端部間を連結する横枠材２２とから構成される。なお、枠構造体２の剛性を高めるため、縦枠材２１の中間高さ位置に、横枠材２２と略平行な桟部材を設けることもできる。そして、適宜の連結手段を用いることにより、縦枠材２１の外側面を支柱４の一側面と対面させた姿勢で側枠材２１を支柱４に取り付けることにより、パネルＰを支柱４に連結し得るようにしている。一方、パネル要素３には、図示しないが例えば板金素材の上下左右の端部を折り曲げ形成した面板部と、この面板部の裏面側に充填した芯材部等とから構成されるもの、或いは面板部の表面にクロス材を貼付したものなど、種々の構成のものを採用することができるが、いずれの構成のものであってもその表面をパネル面Ｐａとして設定している。そして、パネル要素３の両側端部における適宜の高さ位置に、側方へ開放される矩形状の開口部３１を切り開けて形成している。そして、この開口部３１の開口縁３１ａを保護するために、開口縁３１ａに沿って薄肉な樹脂製の保護部材３２を取り付けている。また図示例では、パネル要素３の一側端部には高さ方向中央部に一つの開口部３１を設けているが、必要であれば高さ方向に間欠的に複数の開口部を形成することができる。
【００１６】
しかして、このようなパネル要素３を枠構造体２に取り付けると、パネル要素３の裏面間に中空の内部空間Ｐｓが形成されることになり、この内部空間Ｐｓがパネル要素３に形成した開口部３１を通じて外部に開放される。さらに、支柱４に２つのパネルＰをそれらのパネル面Ｐａ同士が内角略９０°をなすように連結すると、２つのパネルＰの開口部３１が、内角略９０°の平断面視Ｖ字形をなしてつながることになる。本実施形態ではこれら２つの開口部３１に１つのパネル間配線具１を装着することで、両パネルＰの内部空間Ｐｓを連通させるようにしている。なお、支柱４に連結されない側の開口部３１には、図１及び図２に示すように、正面視矩形平板状をなすカバー部材５を保護部材３２に対して密接に取り付けることでその開口部３１を閉塞し、内部空間Ｐｓを外観不能にしている。
【００１７】
パネル間配線具１は、前記開口部３１の開口高さよりも若干小さい距離で上下に対をなして離間する上壁１１及び下壁１２と、これら上壁１１及び下壁１２の間に位置しそれらの一端縁をつなぐ中間壁たる起立壁１３とを一体に形成した樹脂成形品である。上壁１１及び下壁１２は、平面視略直角二等辺三角形状をなす平板状のものである。なお、これら上壁１１及び下壁１２の概略直角二等辺三角形状のうち直角でない２つの角部分は、小さな直角二等辺三角形状に切り欠いている。これら上壁１１及び下壁１２の直角部分を挟む二辺は、開口部３１の開口幅寸法よりも若干小さく設定してある。また、起立壁１３は、正面視略正方形状をなす平板状のものであり、両側端部を上壁１１及び下壁１２の小さく切り欠いた形状に対応してテーパ状をなしている。また、起立壁１３の長辺に対応する幅寸法は、上壁１１及び下壁１２の直角部分に対する対向辺の長さと同一であり、その短辺に対応する高さ寸法は、上壁１１及び下壁１２の離間距離すなわち開口部３１の開口高さよりも若干小さい寸法に対応している。このパネル間配線具１では、上壁１１、下壁１２、及び起立壁１３によって包囲される部位が、上壁１１及び下壁１２の直角を挟む二辺に沿って略水平に開放されており、この開放される部位を配線案内路１ｓとしている。さらに、このパネル間配線具１を両パネルＰの開口部３１に取り付けるために、上壁１１及び下壁１２の直角部分を挟む２辺の長手方向中央部には、それぞれ先端部に上向爪１４ａ、下向爪１５ａを形成した突起１４、１５を上壁１１及び下壁１２に一体に形成している。これら上向爪１４ａ及び下向爪１５ａは、パネル間配線具１を開口部３１に取り付けた際に、その開口縁３１ａに取り付けた保護部材３２にパネルＰの内部空間Ｐｓ内で着脱可能に係合することとなり、これら上向爪１４ａ及び下向爪１５ａと保護部材３２とで係合部Ｘを構成している。
【００１８】
しかして、パネル間配線具１の上壁１１及び下壁１２を作業者の手指で摘み上下に若干撓ませた状態として、Ｌ字型に配置した２つのパネルＰの内角側の２つの開口部３１に対してパネル間配線具１を配線案内路１ｓの開放側を対面させた姿勢で同時に挿入すると、２つのパネルＰｓの内部空間Ｐｓが配線案内路１ｓを通じて連通される。このとき、突起１４、１５が開口部３１内に挿入されるとともに、上向爪１４ａ及び下向爪１５ａがそれぞれ保護部材３２と係合すると、パネル間配線具１の上壁１１、下壁１２及び起立壁１３は２つのパネル面Ｐａと略完全に密接する。したがって、連通されたパネルＰの内部空間Ｐｓ及びパネル間配線具１の配線案内路１ｓの内部は、これら上壁１１、下壁１２及び起立壁１３によって外観不能に閉塞されることになる。このため、一方のパネルＰの内部空間Ｐｓから配線案内路１ｓを経て他方のパネルＰの内部空間Ｐｓへ渡された配線類Ｋは、外部から全く見えない状態となる。また、パネル間配線具１を開口部３１から取り外す際には、上壁１１及び下壁１２を手指で摘んで開口部３１から引き抜くと、開口部３１を露出させることができる。したがって、この露出された開口部３１を通じて配線類Ｋを出入することで、パネル要素３を枠構造体２から取り外すことなく、配線替えを実施することができる。
【００１９】
なお、本発明は上述した実施形態に限られない。上記実施形態では前後両面においてそれぞれ一つのパネル要素３によりパネル面Ｐａを構成しているが、複数のパネル要素を上下に並べて枠構造体２に取り付けることで、それら上下のパネル要素の表面全体でパネル面Ｐａを構成するようにしてもかまわない。その場合、すべてのパネル要素の側端部に開口部を形成してもよいし、適宜のパネル要素にのみ開口部を形成してもよい。また、上記実施形態を適用することで、３つのパネルＰを平面視Ｔ字型をなすように支柱４を挟んで連結する場合や、４つのパネルＰを平面視十字型をなすように支柱を挟んで連結する場合にも、パネルＰ同士の連結箇所においてパネル間配線具１の配線案内路１ｓを通過させて配線類ｋをパネルＰ間に跨って設けつつ外部から隠しておくことができる。さらに、支柱を介さずパネルの側端部同士を相互に連結する場合や、パネル面同士が直角以外の異なる方向を向くようにパネルを配置する場合にも、パネル間配線具の形状を変更することで容易に対応できるのはいうまでもない。
【００２０】
その他、開口部の形状や大きさ、それに伴うパネル間配線具の形状や大きさ、素材、係合部の形状や有無など、各部の具体的構成についても上記実施形態に限られるものではなく、本発明の趣旨を逸脱しない範囲で種々変形が可能である。
【００２１】
【発明の効果】
本発明は、以上に詳述したように、中空の内部空間を有する複数のパネルを、それらのパネル面同士が異なる方向を向くように配置するに際し、パネル面の一部に開口部を形成しておき、隣接するパネルの開口部同士にパネル間配線具を装着することにより、そのパネル間配線具を通じてパネルの内部空間同士を連通させ且つ内部空間を露出させないようにすることが容易にできるので、パネル間配線を行う場合、パネル間に跨って設けられる配線類を好適に隠し、パネルの良好な美観を維持することができる。
【図面の簡単な説明】
【図１】本発明の一実施形態を適用したパネル配置の一例を示す斜視図。
【図２】同平面図。
【図３】図２におけるＩＩ−ＩＩ線断面図。
【図４】図３におけるＩＩＩ−ＩＩＩ線断面図。
【符号の説明】
Ｐ…パネル
Ｐａ…パネル面
Ｐｓ…内部空間
Ｘ…係合部
１…パネル間配線具
１ｓ…配線案内路
３…パネル要素
１１…上壁
１２…下壁
１３…中間壁（起立壁）
３１…開口部
【図１】
0003993450.tif 000002
【図２】
0003993450.tif 000003
【図３】
0003993450.tif 000004
【図４】
0003993450.tif 000005